(57)【要約】【課題】  下方から換気孔が見えくて外観が良く、十分な換気量を確実に確保できる。【解決手段】  鼻板１に取付けた軒先見切り材２を、鼻板取付け部３と、垂下片部４と、垂下片部４に設けた換気孔５と、軒天井６の軒先側端部を下方から覆うための軒先側見切り片部７と、目隠し片部９とで構成する。鼻板１に軒樋取付け具１０を取付ける。軒樋取付け具１０の鼻板１から隙間を介して離れた位置に鼻板１側に向けて開口する略コ字状をした軒樋耳嵌め込み部１１を形成する。軒樋耳嵌め込み部１１の鼻板１側の端部と鼻板１との間に耳部差し込み用隙間１２を形成する。軒樋１３の鼻板１側の側面部１４の上端部に鼻板１と反対側に向けて突出した耳部１５を設ける。軒樋耳嵌め込み部１１に耳部１５が嵌め込まれた軒樋１３の取付け状態で軒樋１３の鼻板１側の側面部１４と鼻板１との間に形成される隙間１６と換気孔５とを連通させる。【選択図】        図１
2006063755.tif 000002
【特許請求の範囲】
【請求項１】
鼻板に軒先見切り材を取付け、該軒先見切り材を、鼻板に取付ける鼻板取付け部と、鼻板取付け部から下方に垂設した垂下片部と、垂下片部に設けた換気孔と、垂下片部の下端部に設けた外壁側に向けて横方向に突出する軒天井の軒先側端部を下方から覆うための軒先側見切り片部と、垂下片部の下端部から外壁と反対側に向けて横方向に突出する目隠し片部とで構成し、鼻板に軒樋取付け具を取付け、該軒樋取付け具の鼻板から隙間を介して離れた位置に鼻板側に向けて開口する略コ字状をした軒樋耳嵌め込み部を形成し、軒樋耳嵌め込み部の鼻板側の端部と鼻板との間に耳部差し込み用隙間を形成し、軒樋の鼻板側の側面部の上端部に鼻板と反対側に向けて突出した耳部を設け、軒樋耳嵌め込み部に上記耳部差し込み用隙間から差し込まれた耳部が嵌め込まれた軒樋の取付け状態で軒樋の鼻板側の側面部と鼻板との間に形成される隙間と上記軒先見切り材の垂下片部に設けた換気孔とを連通させて成ることを特徴とする軒先の換気構造。
【請求項２】
鼻板取付け部を鼻板の外面に沿って固定される固定用縦片部と鼻板の下面に沿う横片部とで略Ｌ状に形成し、横片部に長手方向にわたって溝部を形成し、該溝部の底に排水孔を設けて成ることを特徴とする請求項１記載の軒先の換気構造。
【請求項３】
上記目隠し片部の先端部を鼻板の屋外側の面よりも屋外側に突出させて成ることを特徴とする請求項１又は請求項２記載の軒先の換気構造。
【発明の詳細な説明】
【技術分野】
【０００１】
本発明は、軒先において軒裏空間に換気するための技術に関するものである。
【背景技術】
【０００２】
従来から軒先において軒裏空間に換気するために軒先見切り材に換気孔を設けて、換気孔を介して屋外空間と軒裏空間とを連通させて軒裏空間の換気を行うようにしたものが例えば、特許文献１により知られている。
【０００３】
この特許文献１に示された従来例にあっては、図６に示すように、軒先見切り材５０を鼻板側見切り材５１と軒天井側見切り材５２との２部材で構成し、軒天井側見切り材５２の中央部に下方に開口する凹み５３を形成し、該凹み５３の両側面部を形成する縦片５４に換気孔５５を形成し、該換気孔５５を介して屋外空間と軒裏空間とを連通させて軒裏空間の換気を行うようにしているので、縦片５４に設けた換気孔５５が下方から見えて外観が悪いという問題がある。
【０００４】
そこで、縦片５４に設けた換気孔５５が下方から見え難くするために凹み５３の下端開口縁に目隠し用の横片を突出させて開口巾を狭くすることも考えられるが、特許文献１のように軒先見切り材５０を鼻板側見切り材５１と軒天井側見切り材５２との２部材で構成したものでは、軒天井側見切り材５２を凹み５３の上底部で固着具５６により野縁５７に固着しているため凹み５３の開口巾を狭くするには限度があり、また、凹み５３の開口巾を狭くすると十分な換気量が取れないという問題がある。
【０００５】
また、軒天井の端部下面と軒天井側見切り材の軒天井の端部下面を覆う片との間に隙間を形成してここから換気することも考えられるが、軒天井材の厚みのばらつきや施工誤差等で必要な換気量を確保することができない場合がある。
【特許文献１】特開２００１−９８６９３号公報
【発明の開示】
【発明が解決しようとする課題】
【０００６】
本発明は上記の従来の問題点に鑑みて発明したものであって、下方から換気孔が見えなくして外観が良く、また、十分な換気量を確実に確保でき、しかも、鼻板の外面から軒先見切り材の鼻板取付け部に雨水が浸入しても簡単な構造で排水できて軒裏空間側への雨水の浸入を防止できる軒先の換気構造を提供することを課題とするものである。
【課題を解決するための手段】
【０００７】
上記課題を解決するために本発明に係る軒先の換気構造は、鼻板１に軒先見切り材２を取付け、該軒先見切り材２を、鼻板１に取付ける鼻板取付け部３と、鼻板取付け部３から下方に垂設した垂下片部４と、垂下片部４に設けた換気孔５と、垂下片部４の下端部に設けた外壁８側に向けて横方向に突出する軒天井６の軒先側端部を下方から覆うための軒先側見切り片部７と、垂下片部４の下端部から外壁８と反対側に向けて横方向に突出する目隠し片部９とで構成し、鼻板１に軒樋取付け具１０を取付け、該軒樋取付け具１０の鼻板１から隙間を介して離れた位置に鼻板１側に向けて開口する略コ字状をした軒樋耳嵌め込み部１１を形成し、軒樋耳嵌め込み部１１の鼻板１側の端部と鼻板１との間に耳部差し込み用隙間１２を形成し、軒樋１３の鼻板１側の側面部１４の上端部に鼻板１と反対側に向けて突出した耳部１５を設け、軒樋耳嵌め込み部１１に上記耳部差し込み用隙間１２から差し込まれた耳部１５が嵌め込まれた軒樋１３の取付け状態で軒樋１３の鼻板１側の側面部１４と鼻板１との間に形成される隙間１６と上記軒先見切り材２の垂下片部４に設けた換気孔５とを連通させて成ることを特徴とするものである。
【０００８】
このような構成とすることで、軒天井６の軒先側端部を下方から覆うための軒先側見切り片部７や目隠し片部９により軒先見切り材２の垂下片部４に設けた換気孔５が下方から見えないようにして軒先の外観を良くすることができ、しかも、このように、軒先側見切り片部７や目隠し片部９を設けて垂下片部４に設けた換気孔５が下方から見えないようにしたにもかかわらず、軒樋１３を軒樋取付け具１０に取付けた状態で形成される軒樋１３の鼻板１側の側面部１４と鼻板１との間に形成される隙間１６を通気用の通路として屋外空間と換気孔５とを連通させて軒裏空間の換気を行うことができるものであり、この場合、軒先側見切り片部７と軒天井６の軒先側端部下面との間の隙間の有無や、目隠し片部９と軒樋１３の側面部１４の下部との間の隙間寸法等に関係なく、確実に軒裏空間の換気ができる。
【０００９】
また、鼻板取付け部３を鼻板１の外面に沿って固定される固定用縦片部３ａと鼻板１の下面に沿う横片部３ｂとで略Ｌ状に形成し、横片部３ｂに長手方向にわたって溝部３ｃを形成し、該溝部３ｃの底に排水孔３ｄを設けることが好ましい。
【００１０】
このような構成とすることで、鼻板１の外面に雨水が流れた場合、固定用縦片部３ａと鼻板１の外面との間から雨水が浸入することが考えられるが、この場合、雨水は横片部３ｂにおいて溝部３ｃに流れ込んで排水孔３ｄから下方に排水され、それ以上横片部３ｂの上面に沿って軒裏空間側に浸入するのが防止できる。
【００１１】
また、上記目隠し片部９の先端部を鼻板１の屋外側の面よりも屋外側に突出させることが好ましい。
【００１２】
このような構成とすることで、垂下片部４に設けた換気孔５がよりいっそう下方から見えないようにできると共に、目隠し片部９の先端を軒樋１３側に近づけることができて、目隠し片部９の先端と軒樋１３との間に大きな隙間が生じないようにして下方から見た外観をよりいっそう良くすることができる。
【発明の効果】
【００１３】
本発明は、軒先見切り材の垂下片部に設けた換気孔が下方から見えないようにして外観を良くしながら軒裏空間の換気ができ、また、軒先側見切り片部や目隠し片部を設けて垂下片部に設けた換気孔が下方から見えないようにしたにもかかわらず、軒樋を軒樋取付け具に取付けた状態で形成される軒樋の鼻板側の側面部と鼻板との間に形成される隙間を通気用の通路としているので、この軒樋の耳部を軒樋取付け具に嵌め込むための差し入れ用の隙間は軒樋の耳部を軒樋取付け具に嵌め込んだ状態では必ず一定巾（つまり耳部を差し込むことができる隙間巾）を確保して存在しているので、軒先側見切り片部と軒天井の軒先側端部下面との間の隙間の有無や、目隠し片部と軒樋の側面部の下部との間の隙間寸法等に関係なく、換気孔が外部から見えないようにしながら十分な換気量を確保して確実に軒裏空間の換気ができることになる。
【発明を実施するための最良の形態】
【００１４】
以下、本発明を添付図面に示す実施形態に基いて説明する。
【００１５】
軒先の鼻板１には軒先見切り材２が取付けてある。軒先見切り材２はアルミニウムのような金属製の長尺物であり、図３に示すように、鼻板１に取付ける鼻板取付け部３と、鼻板取付け部３から下方に垂設した垂下片部４と、垂下片部４に設けた換気孔５と、垂下片部４の下端部に設けた外壁８側に向けて横方向に突出する軒先側見切り片部７と、垂下片部４の下端部から外壁８と反対側に向けて横方向に突出する目隠し片部９とで構成してある。
【００１６】
鼻板取付け部３は断面Ｌ字状をしていて鼻板１の外面に沿って固定される固定用縦片部３ａの下端から外壁８側に向けて横方向（水平方向）に横片部３ｂを突設して構成してある。この横片部３ｂは鼻板１の下面に沿うもので、横片部３ｂには長手方向にわたって下方に凹んだ溝部３ｃを形成してあり、溝部３ｃの底には排水孔３ｄを穿孔してある。横片部３ｂの先端（外壁８方向の端部）から下方に向けて垂下片部４が横片部３ｂと一体に垂設してあり、垂下片部４には多数の換気孔５を設けてある。上記横片部３ｂの溝部３ｃと垂下片部４との間には下方に開口し且つ上向きに凹んだ水切り凹所１７が設けてある。垂下片部４の下端部から後述する軒天井６の軒先側端部を下方から覆うための軒先側見切り片部７を外壁８側に向けて横方向に一体に突設してあり、また、垂下片部４の下端部から上記目隠し片部９を外壁８と反対側に向けて横方向に一体に突設してあり、このように垂下片部４の下端から両側に軒先側見切り片部７と目隠し片部９とを設けることで、垂下片部４に設けた換気孔５が下方から見えないようにしている。ここで、添付図面に示す実施形態においては、目隠し片部９の突出先端部９ａは固定用縦片部３ａよりも更に外壁８と反対側に向けて突出している。このように目隠し片部９の突出先端部９ａを固定用縦片部３ａよりも更に外壁８と反対側に向けて突出させると、より確実に換気孔５が下方から見えないようにできる。目隠し片部９は横片部３ｂと平行となっており、横片部３ｂと垂下片部４と目隠し片部９とで外壁８と反対側に開口した断面コ字状の凹部１８が形成してある。
【００１７】
上記の構成の軒先見切り材２を鼻板１に取付けるに当たっては、図１、図２に示すように、固定用縦片部３ａを鼻板１の外面に沿わせると共に横片部３ｂを鼻板１の下面に沿わせた状態で固定用縦片部３ａをビスや釘のような固着具１９により鼻板１に固着することで取付ける。鼻板１に取付けられた軒先見切り材２は鼻板１と軒天井６の軒先側端部との間の仕舞いをするもので、野縁２０に取付けられた軒天井６の軒先側端部下面を軒先見切り材２の軒先側見切り片部７により下方から覆うことで軒天井６の軒先側端部が外部に露出して見えないようにしている。
【００１８】
また、建物の外壁８側においては壁側見切り材２１の固定片部２２を外壁８に対してビスや釘のような固着具１９で固着してあり、壁側見切り材２１の壁側見切り片部２３により軒天井６の壁側端部下面を壁側見切り材２１の壁側見切り片部２３により下方から覆うことで軒天井６の壁側端部が外部に露出して見えないようにしている。
【００１９】
鼻板１の外面の上記軒先見切り材２の固定用縦片部３ａの取付け部分よりも上方位置に軒樋取付け具１０が固着具１９により取付けてある。
【００２０】
軒樋取付け具１０は図１、図２に示すように、鼻板固定用縦板部２４の前面から軒樋取付け部２５を突設して構成してあり、軒樋取付け部２５の突出基部付近に鼻板１から隙間を介して離れた位置に鼻板１側に向けて開口する略コ字状をした軒樋耳嵌め込み部１１を形成してあり、更に、軒樋取付け部２５の突出先端の上端部に耳支持部２６が形成してある。
【００２１】
軒樋１３は上方が開口した断面略Ｕ状をしていて、軒樋１３の鼻板１側の側面部１４の上端部に鼻板１と反対側に向けて突出した耳部１５（つまり内側の耳部）が形成してあり、また、軒樋１３の鼻板１から離れた方の側面部２７の上端部に鼻板１側に向けて突出した別の耳部２８（つまり外側の耳部）が形成してあり、この外側の耳部２８には下方に開口した嵌め込み溝部２９が形成してある。
【００２２】
軒樋１３は外側の耳部２８の嵌め込み溝部２９を軒樋取付け具１０の耳支持部２６に嵌め込むと共に、内側の耳部１５を軒樋取付け具１０の軒樋耳嵌め込み部１１に嵌め込むことで取付けるものである。
【００２３】
軒樋耳嵌め込み部１１の鼻板１側の端部と鼻板１との間には耳部差し込み用隙間１２を形成してあり、耳部１５を軒樋耳嵌め込み部１１に嵌め込むに当たっては、耳部１５及び側面部１４を鼻板１側に弾性的に押し広げるようにして上記耳部差し込み用隙間１２に下方から耳部１５を差し込んで耳部１５及び側面部１４の弾性復元力により軒樋耳嵌め込み部１１に弾性的に嵌め込むものである。このように耳部差し込み用隙間１２から耳部１５を差しこんで軒樋耳嵌め込み部１１に耳部１５を嵌め込んだ軒樋１３の取付け状態においては、耳部差し込み用隙間１２を通過する時に鼻板１側に弾性的に押し広げられた側面部１４が嵌め込み状態となって鼻板１から離れた方向に弾性的に復元して移動するので、図１に示すように軒樋１３の鼻板１側の側面部１４と鼻板１との間に隙間１６が形成されることになる。
【００２４】
この隙間１６は前述の鼻板１に取付けた軒先見切り材２の断面コ字状をした凹部１８と連通しており、したがって、上記軒樋１３の鼻板１側の側面部１４と鼻板１との間の隙間１６を通気用の通路として凹部１８の奥の垂下片部４に設けた換気孔５が屋外空間と連通することになる。
【００２５】
目隠し片部９の突出先端部９ａは軒樋１３の鼻板１側の下端部コーナ部分に近づけて配置してあり、上記軒樋１３の鼻板１側の側面部１４と鼻板１との間の隙間１６が下方から見え難くして外観を良くしている。
【００２６】
ここで、軒先側見切り片部７により軒天井６の軒先側端部下面を覆う場合、軒先側見切り片部７と軒天井６の軒先側端部下面との間にできるだけ隙間が生じないようにするのが外観上好ましいものであり、このため、この部分には隙間が無いか、又は隙間が生じるとしてもそれは部材の寸法誤差や施工誤差を吸収するための最低の隙間を形成するだけであり、また、軒樋１３の鼻板１側の側面部１４と鼻板１との間の隙間１６が下方から見え難くするという理由から、目隠し片部９と軒樋１３の側面部１４の下部との間もできるだけ小さくするのが好ましい。このように軒先側見切り片部７と軒天井６の軒先側端部下面との間や、目隠し片部９と軒樋１３の側面部１４の下部との間からは換気ができなかったり、あるいは十分な換気量を確保することができない場合があるが、本発明においては、上記のように軒樋１３を軒樋取付け具１０に取付けた状態で形成される軒樋１３の鼻板１側の側面部１４と鼻板１との間に形成される隙間１６を通気用の通路として図２の矢印イのように該隙間１６の上開口から外気を導入して換気孔５を通し軒裏空間に流入させることができ、確実に軒裏空間の換気を行うことができることになる。
【００２７】
ところで、軒先の出が短い場合、軒天井６を設けない場合がある。この場合は、垂直な固定片部２２の上端部から上横片部３０を外壁８と反対方向に突設すると共に上横片部３０の突出基部に換気口３１を設け、固定片部２２の下端部から壁側見切り片部２３を外壁８と反対方向に突設して壁側見切り材２１を構成し、図４、図５に示すように、壁側見切り材２１の固定片部２２を固着具１９により固着すると共に、上横片部３０の先端部を固着具１９により鼻板１の背面に固着した桟木３２に固着してあり、更に、前述と同様にして鼻板１に取付けた軒先見切り材２の軒先側見切り片部７の先端部を壁側見切り材２１の壁側見切り材２１の先端を上下に重ねてある。
【００２８】
このような構成とすることで軒先の出の短い場合に、軒天井６を設けることなく鼻板１と外壁８との間を綺麗に軒先見切り材２と壁側見切り材２１とで綺麗に収めることができる。また、この実施形態では、外壁８に固着する壁側見切り材２１の上横片部３０の先端部を鼻板１の背面に固着した桟木３２に固着してあるので、軒樋１３に大量の雨水が流れ込んだ場合に、鼻板１に図４の矢印ロのような鼻板１を変形させるようなモーメントが作用するが、このモーメントによる鼻板１の矢印ロのような変形を壁側見切り材２１により防止することも可能となる。
【００２９】
また、この場合は前述の隙間１６を通気用の通路として図４の矢印ハのように該隙間１６の上開口から外気を導入して換気孔５を通し、更に換気口３１を通して軒裏空間に流入させて軒裏空間の換気を行うことができる。
【００３０】
なお、上記各実施形態において、軒樋１３の鼻板１から離れた方の側面部２７の上端部に設けた別の耳部２８（つまり外側の耳部）と、軒樋取付け具１０の耳支持部２６との嵌め込みの形態は上記した実施形態で説明したものにのみ限定されないのはもちろんである。
【図面の簡単な説明】
【００３１】
【図１】本発明の一実施形態の要部拡大断面図である。
【図２】同上の軒先全体を示す断面図である。
【図３】同上に用いる軒先見切り材の断面図である。
【図４】同上の軒先の出が短い場合の要部拡大断面図である。
【図５】同上の軒先の出が短い場合の軒先全体を示す断面図である。
【図６】従来例を示す断面図である。
【符号の説明】
【００３２】
１  鼻板
２  軒先見切り材
３  鼻板取付け部
３ａ  固定用縦片部
３ｂ  横片部
３ｃ  溝部
３ｄ  排水孔
４  垂下片部
５  換気孔
６  軒天井
７  軒先側見切り片部
８  外壁
９  目隠し片部
１０  軒樋取付け具
１１  軒樋耳嵌め込み部
１２  耳部差し込み用隙間
１３  軒樋
１４  側面部
１５  耳部
【図１】
2006063755.tif 000003
【図２】
2006063755.tif 000004
【図３】
2006063755.tif 000005
【図４】
2006063755.tif 000006
【図５】
2006063755.tif 000007
【図６】
2006063755.tif 000008